(57)【特許請求の範囲】
【請求項１】
操作ボタンが配置された操作部と文字，図形等を表示する画面が配置された表示部とを有する携帯電話の表示部拡大レンズにおいて、
上記表示部に該表示部を囲むように着脱可能に配置されたフレームと、上記表示部を拡大するレンズ本体と、該レンズ本体を上記フレームに収納する収納位置と上記表示部を拡大する使用位置との間で移動可能に支持するレンズ支持手段とを備え、
上記レンズ支持手段は、上記フレームに軸支された第１ヒンジ板と、上記レンズ本体に軸支された第２ヒンジ板とを回動可能に連結して構成されており、
上記第１，第２ヒンジ板に上記レンズ本体を使用位置に規制するストッパ部が設けられている
ことを特徴とする携帯電話の表示部拡大レンズ。
【請求項２】
請求項１において、
上記フレームは、ゴムバンドにより上記携帯電話に着脱可能に締結されている
ことを特徴とする携帯電話の表示部拡大レンズ。
【請求項３】
請求項１において、
上記フレームは、該フレームに一体形成された一対の係合片を弾性変形させることにより携帯電話に着脱可能に嵌装されている
ことを特徴とする携帯電話の表示部拡大レンズ。
【請求項４】
請求項１ないし３の何れかにおいて、
上記レンズ本体は、平板状のフレネルレンズである
ことを特徴とする携帯電話の表示部拡大レンズ。
【発明の詳細な説明】
【０００１】
【発明の属する技術分野】
本発明は、携帯電話の表示部を拡大することにより文字，図形等を見え易くするようにした表示部拡大レンズに関する。
【０００２】
【従来の技術】
近年の携帯電話においては、小型化，薄型化とともに軽量化が進む一方で、文字情報の送受信を可能にするなど多機能化が進んでいる。
【０００３】
このような文字情報は液晶画面からなる表示部に表示されるが、上述の小型化，薄型化に伴って表示画面の大きさに限界があり、このため文字が読み難い場合がある。このような文字を読み易くする観点から、上記表示部の表面に凸レンズシートを貼着することが考えられる。
【０００４】
【発明が解決しようとする課題】
しかしながら、上記表示部に凸レンズシートを貼着する場合には、その構造からして文字の拡大率が低く、文字を読み取るのに充分な拡大率を得ることができないという問題がある。従って、別の凸レンズを携帯して表示部から離して見ることとなり、取り扱いや持ち歩きに不便である。
【０００５】
本発明は、上記実情に鑑みてなされたもので、文字の拡大率を充分に確保して文字を読み易くできるとともに、取り扱いや持ち歩きにも便利な携帯電話の表示部拡大レンズを提供することを目的としている。
【０００６】
【課題を解決するための手段】
請求項１の発明は、操作ボタンが配置された操作部と文字，図形等を表示する画面が配置された表示部とを有する携帯電話の表示部拡大レンズにおいて、上記表示部に該表示部を囲むように着脱可能に配置されたフレームと、上記表示部を拡大するレンズ本体と、該レンズ本体を上記フレームに収納する収納位置と上記表示部を拡大する使用位置との間で移動可能に支持するレンズ支持手段とを備え、上記レンズ支持手段は、上記フレームに軸支された第１ヒンジ板と、上記レンズ本体に軸支された第２ヒンジ板とを回動可能に連結して構成されており、上記第１，第２ヒンジ板に上記レンズ本体を使用位置に規制するストッパ部が設けられていることを特徴としている。
【０００７】
請求項２の発明は、請求項１において、上記フレームは、ゴムバンドにより上記携帯電話に着脱可能に締結されていることを特徴としている。
【０００８】
請求項３の発明は、請求項１において，上記フレームは、該フレームに一体形成された一対の係合片を弾性変形させることにより携帯電話に着脱可能に嵌装されていることを特徴としている。
【０００９】
請求項４の発明は、請求項１ないし３の何れかにおいて、上記レンズ本体は、平板状のフレネルレンズであることを特徴としている。
【００１０】
【発明の作用効果】
請求項１の発明にかかる表示部拡大レンズによれば、携帯電話の表示部にフレームを着脱可能に配置し、該フレームにレンズ本体をレンズ支持手段によりフレームに収納する収納位置と表示部を拡大する使用位置との間で移動可能に支持したので、表示部を見るときにはレンズ本体を使用位置に引き上げることにより、充分な拡大率を確保することが可能となり、文字を容易に読み取ることができる。
【００１１】
また収納するときにはレンズ本体を折り畳んでフレームに収納でき、持ち歩くときに邪魔になることはない。しかもレンズ本体を収納位置と使用位置との間で移動させるだけの操作で済み、取り扱いも容易に行える。
【００１２】
また、レンズ支持手段を、フレームに軸支された第１ヒンジ板と、レンズ本体に軸支された第２ヒンジ板とを回動可能に連結して構成したので、簡単な構造でレンズ本体を収納位置と使用位置との間で進退自在に支持することができる。
【００１３】
さらにまた、上記第１，第２ヒンジにレンズ本体を使用位置に規制するストッパ部を設けたので、レンズ本体がぐらついたり，ずれたりすることはなく、文字をより容易に読み取ることができる。
【００１４】
請求項２の発明では、フレームをゴムバンドにより携帯電話に締結したので、着脱操作を容易に行なうことができる。
【００１５】
請求項３の発明では、フレームに一体形成された一対の係合片を弾性変形させて携帯電話に嵌装したので、フレームの着脱操作をワンタッチで行なうことが可能となる。
【００１６】
請求項４の発明では、レンズ本体に平板状のフレネルレンズを用いたので、凸レンズを使用する場合に比べて見栄えを向上できる。
【００１７】
【発明の実施の形態】
以下、本発明の実施の形態を添付図面に基づいて説明する。
【００１８】
図１ないし図７は、請求項１，２，４の発明の一実施形態（第１実施形態）による携帯電話の表示部拡大レンズを説明するための図であり、図１は表示部拡大レンズが装着された携帯電話の斜視図、図２〜図６はそれぞれ表示部拡大レンズの斜視図，断面側面図，平面図，側面図、図６はストッパ部の要部を示す斜視図である。
【００１９】
図において、１は一般的な携帯電話を示しており、これは下半部に多数の操作ボタン２ａが配列された操作部２と、上半部に文字，図形等を表示する液晶画面３ａが配設された表示部３とを備えている。そしてこの表示部３に本実施形態の特徴をなす表示部拡大レンズ４が配設されている。
【００２０】
この表示部拡大レンズ４は、上記液晶画面３ａの外周部を囲むように着脱可能に配設された矩形枠状のフレーム５と、該液晶画面３ａを拡大するレンズ本体６と、該レンズ本体６を上記フレーム５内に収納する収納位置Ａと液晶画面３ａに表示された文字等を拡大する使用位置Ｂとの間で進退可能に支持するレンズ支持手段７とを備えている。
【００２１】
上記レンズ本体６は矩形枠状に形成されたレンズフレーム６ａに３〜５倍の拡大率を有するフレネルレンズ６ｂを貼着してなり、このフレネルレンズ６ｂは多数レンズ体を同心円をなすように大略鋸刃状に形成されたものである。上記フレーム５及びレンズ本体６は透明アクリル樹脂からなるものである。
【００２２】
上記フレーム５には携帯電話１の左，右側面に当接する脚部５ａ，５ａが一体形成されており、該各脚部５ａにはゴムバンド８がビス９により取付け固定されている。このゴムバンド８によりフレーム５は携帯電話１に取り外し可能に締結されている。
【００２３】
上記レンズ支持手段７は、上記フレーム５内の左，右側縁部に軸支された左，右の第１ヒンジ板１０，１０と、上記レンズフレーム６ａ内の左，右側縁部に軸支された左，右の第２ヒンジ板１１，とを回動可能に連結して構成されており、この各第１，第２ヒンジ板１０，１１は上記同様に透明アクリル樹脂からなるものである。
【００２４】
上記各第１ヒンジ板１０の下縁には円筒状のヒンジ部１０ａが一体形成されており、該ヒンジ部１０ａはヒンジピン１２，１２によりフレーム５に回動可能に支持されている。また上記各第２ヒンジ板１１の上縁には円筒状のヒンジ部１１ａが一体形成されており、該各ヒンジ部１１はヒンジピン１３によりレンズフレーム６ａに回動可能に連結されている。
【００２５】
また、上記各第１ヒンジ板１０の上縁中央部には上ヒンジ部１０ｂが一体形成されており、各第２ヒンジ板１１の下縁両端部には上ヒンジ部１０ｂと同軸線をなすように下ヒンジ部１１ｂ，１１ｂが一体形成されている。この上，下ヒンジ部１０ｂ，１１ｂはヒンジピン１４により回動可能に支持されている。これにより上記各第１，第２ヒンジ板１９，１１は収納位置Ａに折り畳んだときにはフレーム５内に収納されようになっている。
【００２６】
上記第１，第２ヒンジ板１０，１１には両者を収納位置Ａ，使用位置Ｂに回動不能に規制するストッパ部１５が設けられている。このストッパ部１５は、第１ヒンジ板１０の上ヒンジ部１０ｂの両端面に形成された十字形状をなす凸部１６と、第２ヒンジ以下１１の下ヒンジ部１１ｂの内端面に形成された十字形状の凹部１７とからなり、この凸部１６と凹部１７とを嵌合させることにより上記収納位置Ａ，使用位置Ｂに規制するようになっている。
【００２７】
次に本実施形態の作用効果について説明する。
【００２８】
表示部拡大レンズ４を携帯電話１に装着するには、ゴムバンド８を携帯電話１に巻き付けるとともにフレーム５を表示部３の液晶画面３ａの上面に配置する。表示部拡大レンズ４を使用するときには、レンズ本体６を第１，第２ヒンジ板１０，１１の凸部１６と凹部１７とが嵌合するまで引き上げる。これによりレンズ本体６は使用位置Ｂにて保持される。この状態でフレネルレンズ６ｂを透して液晶画面３ａに表示された文字等を読み取ることとなる。
【００２９】
また収納するときには、第１，第２ヒンジ板１０，１１を内側に少し押して凸部１６と凹部１７との嵌合を解除し、第１，第２ヒンジ板１０，１１を折り畳んでレンズ本体６をフレーム５内に収納する。すると第１，第２ヒンジ板１０，１１の凸部１６と凹部１７とが嵌合し、レンズ本体６は飛び出し不能に収納位置Ａに保持される。
【００３０】
このように本実施形態によれば、携帯電話１の表示部３にフレーム５をゴムバンド８により着脱可能に締結し、該フレーム５にレンズ本体６を第１，第２ヒンジ板１０，１１を回動可能に連結してなるレンズ支持手段７により、収納位置Ａと使用位置Ｂとの間で進退可能に支持したので、液晶画面３ａを見るときには、レンズ本体６を使用位置Ｂまで引き上げることにより、液晶画面３ａに表示された文字を容易に読み取ることができる。
【００３１】
また収納するときには、レンズ本体６を折り畳むことによりにフレーム５内に収納でき、持ち歩くときの邪魔になることはない。さらに上記レンズ本体６を収納位置Ａと使用位置Ｂとの間で進退させるだけの簡単な操作で済み，取り扱いも容易に行える。
【００３２】
さらに上記第１，第２ヒンジ板１０，１１にレンズ本体６を収納位置Ａ，使用位置Ｂに規制するストッパ部１５を設けたので、文字を読み取るときにレンズ本体６がぐらついたり，ずれたりすることはなく、安定した姿勢を保持することができ、文字をより容易に読み取ることができるとともに、収納時にレンズ本体６が外れたりするのを防止できる。
【００３３】
なお、上記実施形態では、レンズ支持手段７を第１，第２ヒンジ板１０，１１を回動可能に連結したリンク機構のものとし、上記フレーム５をゴムバンド８により携帯電話１に締結した場合を説明したが、本発明のレンズ支持手段等はこれに限られるものではない。
【００３４】
図８及び図９は、請求項３の発明の一実施形態（第２実施形態）による表示部拡大レンズを説明するための図である。図中、図１と同一符号は同一又は相当部分を示しており、重複する部分についての説明は省略する。
【００３５】
本実施形態の表示部拡大レンズ２０は、フレーム２１とレンズ本体６とを楕円形状の蛇腹２２により伸縮自在に連結するとともに、上記フレーム２１の左，右側縁に係合片２１ａ，２１ａを一体形成し、該各係合片２１ａを弾性変形させて携帯電話１の両側面に嵌装させることにより挟持した例である。
【００３６】
本実施形態では、レンズ支持手段を、フレーム２１とレンズ本体６とを蛇腹２２により伸縮自在に接続したので、レンズ本体６の高さ位置を容易に調整することができ、読み取りをさらに容易に行なうことができる。
【００３７】
また上記フレーム２１に一体形成した左，右の係合片２１ａを弾性変形させて携帯電話１に嵌装したので、フレーム２１の着脱操作をワンタッチで行なうことができ、取り扱い性をさらに向上できる。
【００３８】
図１０は、請求項３の発明の一実施形態（第３実施形態）による表示部拡大レンズを説明するための図である。
【００３９】
本実施形態の表示部拡大レンズ３０は、レンズ支持手段を、フレーム３１の下縁３１ａにレンズ本体６の下縁部をヒンジピン３２を介して回動可能に支持し、上記フレーム３１の左，右係合片３１ｂを弾性変形させて携帯電話１の側面を嵌合させることにより挟持した例である。
【００４０】
本実施形態では、レンズ本体６を収納位置Ａと使用位置Ｂとの間で回動させるだけの簡単な操作で済むとともに、フレーム３１とレンズ本体６とをヒンジピン３２で連結するだけの構造で済み、表示部拡大レンズ全体をコンパクトにできる。またフレーム３１の係合片３１ａを弾性変形させて携帯電話１に嵌装したので、フレーム３１の着脱操作をワンタッチで行なうことができ、取り扱い性を向上できる。
【００４１】
なお本願発明には含まれないが、図１０の二点鎖線で示すように、レンズ本体６をフレーム３１の下縁部３１ａにリンク機構３５により連結し、使用位置にてレンズ本体６が表示部と略平行となるように構成することも可能であり、このようにした場合に画面がより見易くなる。
【図面の簡単な説明】
【図１】請求項１，２，４の発明の第１実施形態による表示部拡大レンズが装着された携帯電話の斜視図である。
【図２】上記表示部拡大レンズの斜視図である。
【図３】上記表示部拡大レンズの使用状態を示す斜視図である。
【図４】上記表示部拡大レンズの断面側面図である。
【図５】上記表示部拡大レンズの平面図である。
【図６】上記表示部拡大レンズの側面図である。
【図７】上記第１実施形態のストッパ部の要部を示す斜視図である。
【図８】請求項３の発明の第２実施形態による表示部拡大レンズが装着された携帯電話の斜視図である。
【図９】上記表示部拡大レンズの装着状態を示す図である。
【図１０】請求項３の発明の第３実施形態による表示部拡大レンズを示す概略図である。
【符号の説明】
１  携帯電話
２  操作部
２ａ  操作ボタン
３  表示部
３ａ  液晶画面
４，２０，３０  表示部拡大レンズ
５，２１，３１  フレーム
６  レンズ本体
６ｂ  フレネルレンズ
７  レンズ支持手段
１０，１１  第１，第２ヒンジ板
１５  ストッパ部
２１ａ，３１ｂ  係合片
Ａ  収納位置
Ｂ  使用位置
【図１】
0004350880.tif 000002
【図２】
0004350880.tif 000003
【図３】
0004350880.tif 000004
【図４】
0004350880.tif 000005
【図５】
0004350880.tif 000006
【図６】
0004350880.tif 000007
【図７】
0004350880.tif 000008
【図８】
0004350880.tif 000009
【図９】
0004350880.tif 000010
【図１０】
0004350880.tif 000011